(57)【要約】【課題】オムツの装着者の不快感を低減するオムツを提供する。【解決手段】内側が不透液性シートで、外側が透液性シートで内部に水分吸収体を備えたインナーオムツと、内側が透液性シートで、外側が不透液性シートで内部に水分吸収体を備えたアウターオムツで構成されるオムツにより、排泄された尿排泄物がオムツに内蔵されている水分吸収体で吸収しきれず逆流しオムツの装着者に付着することを防止し、繰り返される排尿によるオムツの装着者の不快感を低減すると共に、尿排泄物に起因する皮膚の雑菌による疾患を低減するオムツを提供する。【選択図】      図１
2014200530.tif 000002
【特許請求の範囲】
【請求項１】
第１の面は第１の不透液性シートを具備し、第２の面は第１の透液性シートを具備し、前記第１の面の前記第１の不透液性シートと前記第２の面の前記第１の透液性シートの間に第１の水分吸収体を具備する第１の水分吸収性物品であって、
前記第１の水分吸収性物品には排泄部位に相当する箇所に少なくとも１つ以上の穴を具備することを特徴とし、
第１の面は第２の透液性シートを具備し、第２の面は第２の不透液性シートを具備し、前記第１の面の前記第２の透液性シートと前記第２の面の前記第２の不透液性シートの間に第２の水分吸収体を具備する第２の水分吸収性物品であって、
前記第１の水分吸収性物品と前記第２の水分吸収性物品を重ねて装着することを特徴とする水分吸収性物品。
【請求項２】
前記第１の水分吸収性物品の少なくとも１つの辺に第１の結合部を具備し、装着時に前記第１の結合部により装着可能な形状となることを特徴とする請求項１の水分吸収性物品。
【請求項３】
前記第２の水分吸収性物品の少なくとも１つの辺に第１の結合部を具備し、装着時に前記第１の結合部により装着可能な形状となることを特徴とする請求項１乃至請求項２の水分吸収性物品。
【請求項４】
前記第１の水分吸収性物品の前記第１の面が装着者側で、前記第２の面が非装着者側であるパンツ型を構成していることを特徴とする請求項１の水分吸収性物品。
【請求項５】
前記第２の水分吸収性物品の前記第１の面が装着者側で、前記第２の面が非装着車側であるパンツ型を構成していることを特徴とする請求項１乃至請求項４の水分吸収性物品。
【発明の詳細な説明】
【技術分野】
【０００１】
本発明では、オムツの装着者の不快感を低減すると共に、尿排泄物に含まれる水分とオムツの装着者の皮膚の雑菌繁殖により、オムツを装着することにより副次的に生じる皮膚疾患を防止するオムツに関するものである。
【背景技術】
【０００２】
従来から使用されている使い捨て型オムツでは、非装着者側は水分を通さない材質、装着車側は水分を通しやすい材質の間に水分吸収性の高い高分子ポリマーで代表される水分吸収剤を内蔵した素材でオムツを構成している。
【０００３】
水分吸収体を内蔵したオムツを装着することで、オムツの装着者の尿排泄物の多くを占める水分が高分子ポリマーに吸収されることで、オムツの装着者の尿排泄物の水分が外部に漏れ出すことを防止している。
【０００４】
オムツを装着後、オムツの装着者の尿排泄部位は固定されるため、尿排泄物は装着したオムツの特定の箇所に集中することとなるため、オムツの尿排泄部位に接する箇所に水分吸収体を多く配置することで、効率よく尿排泄物を処理できるようにしている。
【０００５】
あるいは、オムツの尿排泄部位に接する箇所の構造を立体的にすることで、効率よく尿排泄物を吸収処理できるようにしている。
【０００６】
オムツの装着者の内側の材質には、可能な限り早く水分を透過させうる素材を使用し、オムツの装着者の尿排泄物がオムツの装着者自身へ付着し不快感を与えることを防止し、尿排泄物の水分とオムツの装着者の皮膚の雑菌繁殖に起因する皮膚の疾患を防止している。
【先行技術文献】
【特許文献】
【０００７】
【特許文献１】特許公開２０１０−２２０７８３
【特許文献２】特許公開２００８−７９８３８
【特許文献３】特許公開２００４−３５７９５１
【特許文献４】特許公開２００３−３３９７５０
【発明の概要】
【発明が解決しようとする課題】
【０００８】
前記の通りオムツにおける水分吸収体の配置や、オムツの尿排泄部位に接する箇所の構造を立体的にしたとしても、高分子ポリマーで代表される水分吸収体が吸収し得る水分量には限界がある。
【０００９】
また、一度水分吸収体が水分を吸収してしまうと、その後の尿排泄物の水分は、水分を吸収できなくなった水分吸収体を介して、水分を吸収し得る水分吸収体へ流れて行き、尿排泄物の水分は、水分を吸収可能な水分吸収体で吸収されることとなる。
【００１０】
このため、オムツを短い間隔で交換しないと、尿排泄物の水分がオムツの装着者の皮膚に付着することとなり、オムツの装着者に極めて不快な感覚を与えてしまう。
【００１１】
更に、尿排泄物の水分や養分により皮膚に繁殖している雑菌が増殖するにより、極めて不快な悪臭の原因となったり、オムツの装着者の皮膚の疾患の原因となってしまう。
【００１２】
オムツの装着者が疾患の影響で自発的な尿排泄が困難な場合、カテーテル等を尿道に挿入して尿排泄を補助する。
【００１３】
カテーテル等を使用して尿排泄補助を行っている場合のオムツの装着者の尿排泄物は、オムツの装着者の意思とは別に排泄されてしまうため、オムツへは常時尿排泄物が排泄されてしまうこととなる。
【００１４】
カテーテル等を使用して尿排泄補助を行っている場合、尿排泄物の排出口は小さいため、尿排泄補助を行っている場合の尿排泄物の水分は通常の尿排泄に比べてより一層１箇所に集中してしまう。
【００１５】
このため、カテーテル等で尿排泄補助を行っている場合、尿排泄物の水分がオムツの１箇所に集中し、オムツの水分吸収体が水分を吸収しきれず、周辺部分に広がる際にオムツの装着者の皮膚に付着し易くなり、排尿に含まれる水分や養分により、オムツの装着者の皮膚に繁殖している雑菌が増殖することで悪臭の原因となるため、オムツの装着者のオムツの交換の都度、尿排泄物の水分が付着した皮膚の洗浄が必要となってしまう。
【００１６】
また、カテーテル等は、単なるチューブ状であるため逆流は防止できず、オムツの装着者の皮膚に繁殖している雑菌が増殖してしまうと、増殖した雑菌がカテーテル等を逆流し、オムツの装着者の膀胱に達すると膀胱炎の原因となってしまう。
【００１７】
そのため、オムツの装着者に対する介護者は、オムツの装着者に不快感を与えないようにし、オムツを装着することで生じる悪臭や疾患を防止するため、頻繁にオムツを交換する必要が生じることとなり、極めて過酷な介護生活を強いられてしまう。
【００１８】
ペット等がオムツを装着した場合、ペット等は全身が体毛で覆われており、尿排泄物がオムツを装着している部位の体毛へ容易に付着してしまう。
【００１９】
ペット等の尿排泄物が、オムツを装着しているペット等の体毛への付着してしまうと、尿排泄物が付着した体毛部分で排尿に含まれる水分や養分により雑菌が増殖してしまい悪臭の原因となるため、オムツの交換回数を増やし、都度ペット等の尿排泄物が付着した体毛をシャンプーや水流により洗浄する必要がある。
【００２０】
ペット等がカテーテル等で尿排泄補助を行っている場合、尿排泄物の水分がオムツの１箇所に集中し、オムツの水分吸収体が水分を吸収しきれず、周辺部分に広がる際にオムツを装着しているペット等の体毛に付着し易くなり、オムツを装着しているペット等の体毛に繁殖している雑菌が排尿に含まれる水分や養分により増殖することで悪臭の原因となるため、オムツを装着しているペット等のオムツの交換の都度、尿排泄物の水分が付着した体毛をシャンプーや水流により洗浄する必要ある。
【００２１】
また、カテーテル等は、単なるチューブ状であるため逆流は防止できず、オムツを装着しているペット等の体毛に繁殖している雑菌が増殖してしまうと、増殖した雑菌がカテーテル等を逆流し、オムツを装着しているペット等の膀胱に達すると膀胱炎の原因となってしまう。
【課題を解決するための手段】
【００２２】
本発明は、インナーオムツとアウターオムツにて１つのオムツを構成し、排尿部位をインナーオムツとアウターオムツで挟み込むことで、尿排泄物の水分が１箇所に、かつ長時間排泄されても、尿排泄物の水分とオムツの装着者の皮膚の接触を可能な限り避けられるオムツを提供することである。
【００２３】
第１のオムツは、装着した際にオムツの装着者に接し、かつ不透液性のシートで構成される第１の面と、装着した際にオムツの装着者に接せず、かつ透液性のシートで構成される第２の面と、前記第１の面と、前記第２の面との間に第１の水分吸収体が設けられている。
【００２４】
第２のオムツは、装着した際に前記第１のオムツと接し、かつ透液性のシートで構成される第１の面と、装着した際に前記第１のオムツと接せず、かつ透液性のシートで構成される第２の面と、前記第１の面と、前記第２の面との間に第１の水分吸収体が設けられている。
【００２５】
第１のオムツには、オムツの装着者が男性の場合、オムツの装着者の尿排泄部位を前記第１のオムツの外側に出すための第１の穴が設けられている
【００２６】
第１のオムツには、オムツの装着者が女性の場合、オムツの装着者の尿排泄部位が前記第２のオムツの前記第１の面に接することが出来るよう、第２の穴が設けられている。
【００２７】
オムツの装着者が本発明のオムツを装着する場合、前記第１のオムツを装着し、オムツの装着者が男性の場合には、尿排泄部位を前記第１のオムツの前記第１の穴から、前記第１のおむつの外側に出す。
【００２８】
オムツの装着者が女性の場合には、前記第１のオムツを装着し、尿排泄部位を前記第１のオムツの前記第２の穴に一致させる。
【００２９】
オムツの装着者が前記第１のオムツを装着した後、前記第２のオムツを前記第１のオムツに重ねて装着する。
【発明の効果】
【００３０】
本発明のオムツによれば、オムツの装着者が尿排泄を繰り返しても、オムツの装着者の肌に不快感を与えず、オムツの装着者の皮膚に繁殖している雑菌の増殖を押さえることが可能であるため皮膚疾患が発生しない。
【００３１】
更に、インナーオムツとアウターオムツに内蔵されている水分吸収体を有功に利用できるため、オムツの交換間隔を長くすることが可能であるため、介護者の負担が低減できる。
【００３２】
更に、オムツの装着者が感じる不快感により、装着したオムツを自ら外してしまう等の問題も解消される。
【００３３】
本発明のオムツによれば、ペット等が尿排泄を繰り返しても、ペット等の体毛尿排泄物が付着せず、ペット等の体毛や皮膚に繁殖している雑菌の増殖を押さえることが可能であるため皮膚疾患が発生しない。
【００３４】
更に、インナーオムツとアウターオムツに内蔵されている水分吸収体を有功に利用できるため、オムツの交換間隔を長くすることが可能であるため、介護者の負担が低減できる。
【図面の簡単な説明】
【００３５】
【図１】本発明の尿排泄部に穴を有するパンツ型男性用オムツ一式の図である。
【図２】本発明の尿排泄部に穴を有するシート型男性用オムツ一式の図である。
【図３】本発明の尿排泄部に穴を有するパンツ型女性用オムツ一式の図である。
【図４】本発明の尿排泄部に穴を有するシート型女性用オムツ一式の図である。
【図５】本発明の尿排泄部に穴を有するシート型ペット用オムツ一式の図である。
【図６】本発明の尿排泄部と便排泄部に穴を有するパンツ型男性用インナーオムツの図である。
【図７】本発明の尿排泄部と便排泄部に穴を有するパンツ型女性用インナーオムツ一式の図である。
【発明を実施するための形態】
【００３６】
以下、本発明の好適な実施の形態についての詳細な説明を、図を用いて説明する。なお以下に説明する本実施形態は、特許請求の範囲に記載された本発明の内容を不当に限定するものではなく、本実施形態で説明される構成の全てが本発明の解決手段として必須であるとは限らない。
【実施例】
【００３７】
図１は本発明のパンツ型男性用オムツの一例である。インナーオムツ１は、不透液性の面１１と、透液性の面１２と、面１１と面１２に挟まれた水分吸収体１３と、オムツの装着者の腹部に接する開口部１４と、オムツの装着者の大腿部に接する２つの開口部１５と、男性の尿排泄部位をインナーオムツ１の外部へ出すための穴１６が設けられている。
【００３８】
アウターオムツ２には、透液性の面２１と、不透液性の面２２と、面２１と面２２に挟まれた水分吸収体２３と、オムツの装着者の腹部に接する開口部２４と、オムツの装着者の大腿部に接する２つの開口部２５が設けられている。
【００３９】
オムツの装着者は、インナーオムツ１の開口部１４から足を入れ、大腿部に接する２つの開口部１５のそれぞれからオムツの装着者の足をそれぞれ出し、オムツの装着者の尿排泄部位を穴１６からインナーオムツ１の外側へ出して装着する。
【００４０】
オムツの装着者がカテーテル等で尿排泄の補助を行っている場合、インナーオムツ１を装着する際、オムツ装着者の尿排泄部位と共にカテーテル等の排尿補助具をインナーオムツ１の穴１６から、インナーオムツ１の外側に出して装着する。
【００４１】
インナーオムツ１の装着終了後、アウターオムツ２の開口部２４から足を入れ、大腿部に接する２つの開口部２５のそれぞれからオムツの装着者の足をそれぞれ出し、インナーオムツ１と重ねて装着する。
【００４２】
このようにインナーオムツ１とアウターオムツ２でオムツ装着者の尿排泄部位を挟み込むようにオムツを装着することで、オムツ装着者の尿排泄物はインナーオムツ１の面１２とアウターオムツ２の面２１を介してインナーオムツ１の水分吸収体１３とアウターオムツ２の水分吸収体２３で吸収されることとなる。
【００４３】
インナーオムツ１の面１１がオムツ装着者に接しているため、インナーオムツ１の水分吸収体１３で吸収仕切れなかった尿排泄物の水分がオムツ装着者に付着することは無く、オムツの装着者に不快感を与えない。
【００４４】
アウターオムツ２の面２２がオムツ装着者のオムツの上から着ている着衣に接しているため、アウターオムツ２の水分吸収体２３で吸収仕切れなかった尿排泄物の水分がオムツの装着者がアウターオムツ２の上から着ている着衣に漏れ出すことは無い。
【００４５】
オムツの装着者から繰り返し尿排泄物が排泄されると、インナーオムツ１の水分吸収体１３及びアウターオムツ２の水分吸収体２３が尿排泄物の水分を吸収しきれなくなり、オムツの装着者から繰り返し排泄された尿排泄物の水分は、インナーオムツ１の水分吸収体１３あるいはアウターオムツ２の水分吸収体２３のオムツの装着者の尿排泄部位に接している水分吸収体を介して周辺に広がることとなる。
【００４６】
繰り返し排泄されたオムツの装着者の尿排泄物の水分が、インナーオムツ１の水分吸収体１３あるいはアウターオムツ２の水分吸収体２３のオムツの装着者の尿排泄部位に接している水分吸収体を介して周辺に広がる場合でも、インナーオムツ１の面１１によりオムツの装着者に付着することはなく、オムツの装着者に不快感は与えない。
【００４７】
繰り返し排泄されたオムツの装着者の尿排泄物の水分が、インナーオムツ１の水分吸収体１３あるいはアウターオムツ２の水分吸収体２３のオムツの装着者の尿排泄部位に接している水分吸収体を介して周辺に広がる場合でも、アウターオムツ２の面２２によりオムツの装着者がアウターオムツ２の上から着ている着衣へ漏れ出すことは無い。
【００４８】
図２は本発明のシート型男性用オムツの一例である。インナーオムツ３は、不透液性の面３１と、透液性の面３２と、面３１と面３２に挟まれた水分吸収体３３と、オムツの装着者の腹部に接する辺３４と、オムツの装着者の大腿部に接する２つの辺３５と、男性の尿排泄部位をインナーオムツ３の外部へ出すための穴３７が設けられ、オムツは辺３４と、２つの辺３５で分離されており、オムツの装着者にオムツを装着する際にインナーオムツ３をパンツ状とするための結合部分３６がそれぞれ設けられている。
【００４９】
アウターオムツ４には、透液性の面４１と、不透液性の面４２と、面４１と面４２に挟まれた水分吸収体４３と、オムツの装着者の腹部に接する辺４４と、オムツの装着者の大腿部に接する２つの辺４５が設けられ、オムツは辺４４と、２つの辺４５で分離されており、オムツをオムツの装着者に装着する際にアウターオムツ４をパンツ状とするための結合部分４６がそれぞれ設けられている。
【００５０】
オムツの装着者は、インナーオムツ３の面３１をオムツ装着者に接するように装着し、オムツの装着者の尿排泄部位を穴３６からインナーオムツ３の外側へ出し、インナーオムツ３の結合部分３７にてパンツ状として装着する。
【００５１】
オムツの装着者がカテーテル等で尿排泄の補助を行っている場合、インナーオムツ３を装着する際、オムツ装着者の尿排泄部位と共にカテーテル等の排尿補助具をインナーオムツ３の穴３７から、インナーオムツ３の外側に出して装着する。
【００５２】
インナーオムツ３の装着終了後、アウターオムツ４をインナーオムツ３と重ねて装着し、結合部分４６にてパンツ状として装着する。
【００５３】
このようにインナーオムツ３とアウターオムツ４でオムツ装着者の尿排泄部位を挟み込むようにオムツを装着することで、オムツ装着者の尿排泄物はインナーオムツ３の面３２とアウターオムツ４の面４１よりインナーオムツ３の水分吸収体３３とアウターオムツ４の水分吸収体４３で吸収されることとなる。
【００５４】
図３は本発明のパンツ型女性用オムツの一例である。インナーオムツ５は、不透液性の面５１と、透液性の面５２と、面５１と面５２に挟まれた水分吸収体５３と、オムツの装着者の腹部に接する開口部５４と、オムツの装着者の大腿部に接する２つの開口部５５と、女性の尿排泄部位に相当する箇所に穴５６が設けられている。
【００５５】
アウターオムツ６には、透液性の面６１と、不透液性の面６２と、面６１と面６２に挟まれた水分吸収体６３と、オムツの装着者の腹部に接する開口部６４と、オムツの装着者の大腿部に接する２つの開口部６５が設けられている。
【００５６】
オムツの装着者は、インナーオムツ５の開口部５４から足を入れ、大腿部に接する２つの開口部５５のそれぞれからオムツの装着者の足をそれぞれ出し、オムツの装着者の尿排泄部位を穴５６で囲まれるようにして装着する。
【００５７】
オムツの装着者がカテーテル等で尿排泄の補助を行っている場合、インナーオムツ１を装着する際、オムツ装着者の尿排泄部位と共にカテーテル等の排尿補助具をインナーオムツ５の穴５６から、インナーオムツ５の外側に出して装着する。
【００５８】
インナーオムツ５の装着終了後、アウターオムツ６の開口部６４から足を入れ、大腿部に接する２つの開口部６５のそれぞれからオムツの装着者の足をそれぞれ出し、インナーオムツ５と重ねて装着する。
【００５９】
このようにインナーオムツ５とアウターオムツ６を装着することで、オムツ装着者の尿排泄物はインナーオムツ５の面５２とアウターオムツ６の面６１よりインナーオムツ５の水分吸収体５３とアウターオムツ６の水分吸収体６３で吸収されることとなる。
【００６０】
図４は本発明のシート型女性用オムツの一例である。インナーオムツ７は、不透液性の面７１と、透液性の面７２と、面７１と面７２に挟まれた水分吸収体７３と、オムツの装着者の腹部に接する辺７４と、オムツの装着者の大腿部に接する２つの辺７５と、女性の尿排泄部位に相当する箇所に穴７７が設けられ、オムツは辺７４と、２つの辺７５で分離されており、オムツの装着者にオムツを装着する際にインナーオムツ７をパンツ状とするための結合部分７６がそれぞれ設けられている。
【００６１】
アウターオムツ８には、透液性の面８１と、不透液性の面８２と、面８１と面８２に挟まれた水分吸収体８３と、オムツの装着者の腹部に接する辺８４と、オムツの装着者の大腿部に接する２つの辺８５が設けられ、オムツは辺８４と、２つの辺８５で分離されており、オムツをオムツの装着者に装着する際にアウターオムツ８をパンツ状とするための結合部分８６がそれぞれ設けられている。
【００６２】
オムツの装着者は、インナーオムツ７の面７１をオムツ装着者に接するように装着し、オムツの装着者の尿排泄部位を穴７６で囲み、インナーオムツ７の結合部分７６にてパンツ状として装着する。
【００６３】
オムツの装着者がカテーテル等で尿排泄の補助を行っている場合、インナーオムツ７を装着する際、オムツ装着者の尿排泄部位と共にカテーテル等の排尿補助具をインナーオムツ７の穴７７から、インナーオムツ７の外側に出して装着する。
【００６４】
インナーオムツ７の装着終了後、アウターオムツ８をインナーオムツ７と重ねて装着し、結合部分８６にてパンツ状として装着する。
【００６５】
このようにインナーオムツ７とアウターオムツ８を装着することで、オムツ装着者の尿排泄物はインナーオムツ７の面７２とアウターオムツ８の面８１よりインナーオムツ７の水分吸収体７３とアウターオムツ８の水分吸収体８３で吸収されることとなる。
【００６６】
図５は本発明のペット用オムツの一例である。インナーオムツ９は、不透液性の面９１と、透液性の面９２と、面９１と面９２に挟まれた水分吸収体９３と、オムツを装着するペットの腹部に接する２つの辺３４と、ペットの尿排泄部位をインナーオムツ９の外部へ出すための穴９６が設けられ、インナーオムツ９は２つの辺９４で分離されており、オムツをペットに装着する際にインナーオムツ９を筒状とするための結合部分９５が設けられている。
【００６７】
アウターオムツ１０には、透液性の面１０１と、不透液性の面１０２と、面１０１と面１０２に挟まれた水分吸収体１０３と、オムツを装着するペットの腹部に接する２つの辺１０４が設けられ、アウターオムツ１０は２つの辺１０４で分離されており、オムツをペットに装着する際にアウターオムツ１０を筒状とするための結合部分１０５がそれぞれ設けられている。
【００６８】
ペットにオムツを装着する際は、インナーオムツ９の面９１をペットの腹部に接するように装着し、ペットの尿排泄部位を穴９６からインナーオムツ９の外側へ出し、インナーオムツ９の結合部分９６にて筒状として装着する。
【００６９】
ペットがカテーテル等で尿排泄の補助を行っている場合、インナーオムツ９を装着する際、ペットの尿排泄部位と共にカテーテル等の排尿補助具をインナーオムツ９の穴９６からインナーオムツ９の外側に出して装着する。
【００７０】
インナーオムツ９の装着終了後、アウターオムツ１０をインナーオムツ９と重ねて装着し、アウターオムツ１０の結合部分１０５にて筒状としてインナーオムツ９に重ねて装着する。
【００７１】
このようにインナーオムツ９とアウターオムツ１０を装着することで、ペットの尿排泄物はインナーオムツ９の面９２とアウターオムツ１０の面１０１よりインナーオムツ９の水分吸収体９３とアウターオムツ１０の水分吸収体１０３で吸収されることとなる。
【００７２】
ペットにオムツを装着する場合、体型によってはずれ易くなるため、辺９４あるいは辺１０４のペットに接する部分に粘着性の固定具を設置することで、装着ズレを防止することも出来る。
【００７３】
図６は本発明のパンツ型男性用インナーオムツの一例である。インナーオムツ１１は、不透液性の面１１１と、透液性の面１１２と、面１１１と面１１２に挟まれた水分吸収体１１３と、オムツの装着者の腹部に接する開口部１１４と、オムツの装着者の大腿部に接する２つの開口部１１５と、男性の尿排泄部位をインナーオムツ１１の外部へ出すための穴１１６と、便排泄部位を直にアウターオムツに接するための穴１１７が設けられている。
【００７４】
このようにすることで、便排泄物に含まれる水分をアウターパンツに吸収させることが可能となる。
【００７５】
図７は本発明のパンツ型女性用インナーオムツの一例である。インナーオムツ１２は、不透液性の面１２１と、透液性の面１２２と、面１２１と面１２２に挟まれた水分吸収体１２３と、オムツの装着者の腹部に接する開口部２４と、オムツの装着者の大腿部に接する２つの開口部１２５と、女性の尿排泄部位および便排泄部位に相当する箇所に穴１２６が設けられている。
【００７６】
なお、上記のように本実施形態について詳細に説明したが、本発明の新規事項および効果から実体的に逸脱しない多くの変形が可能であることは、当業者ならびに有識者には容易に理解可能である。従って、このような変形例はすべて本発明の範囲に含まれるものとする。例えば、各図において水分吸収体の端辺に水分を透過しない材質で折り返しを設ける、あるいは、インナーオムツとアウターオムツの密着性を高めるため粘着材質を設ける、あるいは、オムツの装着者に接する辺に伸縮性のある材質を設けずれ難くするのも一例である。更に、本実施形態で説明した変形例の組み合わせた構成についても、本発明の範囲に含むことができる。
【符号の説明】
【００７７】
１        インナーオムツ
１１      不透液性面
１２      透液性面
１３      水分吸収体
１４      腹部開口部
１５      大腿部開口部
１６      尿排泄部位穴
２        アウターオムツ２
２１      透液性面
２２      不透液性面
２３      水分吸収体
２４      腹部開口部
２５      大腿部開口部
３        インナーオムツ
３１      不透液性面
３２      透液性面
３３      水分吸収体
３４      腹部開口部
３５      大腿部開口部
３６      結合部
３７      尿排泄部位穴
４        アウターオムツ
４１      透液性面
４２      不透液性面
４３      水分吸収体
４４      腹部開口部
４５      大腿部開口部
４６      結合部
５        インナーオムツ
５１      不透液性面
５２      透液性面
５３      水分吸収体
５４      腹部開口部
５５      大腿部開口部
５６      尿排泄部位穴
６        アウターオムツ
６１      透液性面
６２      不透液性面
６３      水分吸収体
６４      腹部開口部
６５      大腿部開口部
７        インナーオムツ
７１      不透液性面
７２      透液性面
７３      水分吸収体
７４      腹部開口部
７５      大腿部開口部
７６      結合部
７７      尿排泄部位穴
８        アウターオムツ
８１      透液性面
８２      不透液性面
８３      水分吸収体
８４      腹部開口部
８５      大腿部開口部
８６      結合部
９        インナーオムツ
９１      不透液性面
９２      透液性面
９３      水分吸収体
９４      腹部開口部
９５      結合部
９６      尿排泄部位穴
１０      アウターオムツ
１０１    透液性面
１０２    不透液性面
１０３    水分吸収体
１０４    腹部開口部
１０５    結合部
１１      インナーオムツ
１１１    不透液性面
１１２    透液性面
１１３    水分吸収体
１１４    腹部開口部
１１５    大腿部開口部
１１６    尿排泄部位穴
１１７    便排泄部位穴
１２      インナーオムツ
１２１    不透液性面
１２２    透液性面
１２３    水分吸収体
１２４    腹部開口部
１２５    大腿部開口部
１２６    便尿排泄部位穴
【図１】
2014200530.tif 000003
【図２】
2014200530.tif 000004
【図３】
2014200530.tif 000005
【図４】
2014200530.tif 000006
【図５】
2014200530.tif 000007
【図６】
2014200530.tif 000008
【図７】
2014200530.tif 000009